(57)【要約】【課題】この考案は、自転車前部のフレームに、チャリンコ  リングを取りつけリングに傘をさし、安定させ、安全走行が出来る為のものである。従来自転車に傘は置き場がなくて、サドルの下、荷台の下に差してハンドルに掛け危険な走行をしられている、その危険から救う為に考案されたチヤリンコ  リングである。【解決手段】フレーム（５）にリング（１）を取り付ける、滑り止めベルト（２）をハメ、十字ナット（３）を十円玉他コインで締めれば、取り付け完了である。【選択図】  図１
0003101843.tif 000002
【実用新案登録請求の範囲】
【請求項１】
（イ）自転車のフレームに折りたたみ式リング（１）を取り付け、傘を差し込み安全走行を可能にした、チヤリンコ  リングである。
（ロ）フレームにリングを固定させるバンドの内側に、すべり止め（２）を設ける。
（ハ）ナットネジ１本で取り付け可能にするため（３）ナットネジの頭を十字に溝を設け１０円玉一枚で締め付け可能にした、コインナツト、十字である。
以上の如く構成された傘さし、チヤリンコ  リング。
【請求項２】
リングの素材をプラスチック、及び金属とし、プラスチックリング（４）は色彩豊かにした、チヤリンコ  リング。
【請求項３】
請求項１の（ハ）３  １０円玉一枚で取り付け可能にした、チヤリンコ  リング、コインナツト、十字である。
【考案の詳細な説明】
【０００１】
【考案が解決しようとする課題】
この考案は、傘を持つて自転車に乗る時、傘の置き場がなく、サドルの下、荷台の下あたりに差し、又ハンドル等にかけて危険走行をして事故を起こした話し何度か耳にしたことがある、この危険から守るために考案された、折りたたみ式チヤリンコ  リング、使用の時はリングを起こし、使用しない時は折りたたんでおけば他の物に当たって破損しなくてよい、傘をリングに収めれば快適安全走行を可能にした、チヤリンコ  リングである。
【０００２】
【従来の技術】
従来プラスチック製品で出来た筒状の傘さしがあるが、グロデスクで取り付けもむつかしく、値段も高く取り付けにくい難点がある。
【０００３】
【考案の効果】
本案は、その決点を除いて、強くて丈歩で、きれいで安くて、子供から女性まで誰でも１０円玉一枚で容易にとりつけが出来る、便利で安全で危険な行為も解決されるものである、一部主婦のテスト結果、評判絶大であり  これを設けた。
【０００４】
【考案の実施の形態】
本案は、以上のような構造であるから、使用する時は平らにねかせ、リングに傘を差せば安定して安全に走行することができる、使用しない時は立てておけば物に当たらなくて破損しないように此れをもんた。
リング取り付けも、大人から女子供  誰でも１０円玉１枚で取り付け可能である。
なお、リングは傘の入るおうきさで  円形である。
【図面の簡単な説明】
【図１】本考案の正面図
【図２】本考案の側面図
【図３】本考案の平面図
【図４】本考案の斜視図
【図５】本考案の取り付け図
【符号の説明】
１      リング
２      すべり止めベルト
３      十字ナツト
４      色彩
５      自転車フレーム
６      固定板
【図１】
0003101843.tif 000003
【図２】
0003101843.tif 000004
【図３】
0003101843.tif 000005
【図４】
0003101843.tif 000006
【図５】
0003101843.tif 000007
【手続補正書】
【提出日】平成15年3月28日(2003.3.28)
【手続補正１】
【補正対象書類名】明細書
【補正対象項目名】全文
【補正方法】変更
【補正の内容】
【実用新案登録請求の範囲】
【請求項１】（イ）自転車のフレームに折りたたみ式リング、プラスチック及び金属を素材とした直径１ｃｍの丸い棒、及びパイプで直径５ｃｍのリング（１）を設け、これに取り付け安定板（６）を組み合わせ、上下に折りたたみできる様にした、これをフレーム（５）に取り付けた固定バンド（２）に組み合わせ、コインナット（３）で締める、女性子供、  誰でも簡単に取り付けが出来る、傘の保護と安全走行を可能にした、安定リングである。
（ロ）フレーム（５）にリングを固定させるバンド（２）の内側に、すべり止めを設ける。
（ハ）固定バンド（２）と、直径１ｃｍの丸い棒、及びパイプを直径５ｃｍのリング（１）にした物とは個別であるが、これをナット（３）で取り付ける、
（ニ）コインナット（３）１本で取り付け可能にするため、ナットの頭をコインの入る位の溝を設け１０円玉一枚で締め付け可能にした、コインナット、である。
以上の如く構成された雨傘安定リングである。
【請求項２】リングの素材をプラスチック、及び金属とし、直径１ｃｍの丸い棒、及びパイプを直径５ｃｍのリング（１）にする、これを固定バンド（２）にコインナット（３）で取り付ける、色彩（４）豊かにし好みの色が選べる様にした、
以上のごとく構成された雨傘安定リングである。
【請求項３】請求項１の（ハ）３  、頭をコインの入る位の溝を設け、１０円玉一枚で取り付け可能にした、コインナット（３）である。
【考案の詳細な説明】
【０００１】
この考案は、素材をプラスチック及び金属とし直径１ｃｍの丸い棒、及びパイプで直径５ｃｍのリングを作り、これを自転車前部のフレームに取り付け、リングに雨傘をさせば傘の損傷は無く、安全に自転車に乗る事が出来る、リングは色彩豊富で好みの色を選ぶ事が出来る、コインナットにした事で取り付けにドライバー不要となり、１０円玉１枚で誰でも簡単容易に取り付けを可能にした。
以上の如く構成された雨傘安定リングである。
【０００２】
【従来の技術】
従来プラスチック製品で出来た筒状の傘さしがあるが、グロテスクで取り付けも難しい、値段も高く取り付けにくい難点がある。
【０００３】
【考案の効果】
本案は、その欠点を除いて、強くて丈夫で、きれいで安くて、子供から女性まで誰でも１０円玉一枚で容易に取り付けが出来る、便利安全で危険な行為も解決されるものである、一部主婦のテスト結果、評判絶大であり  これを設けた。
【０００４】
【考案の実施の形態】
本案は、プラスチク及び金属を素材とした、直径１ｃｍの棒、及びパイプを直径５ｃｍのリングを作り、これを自転車前部フレームに取り付けた，取り付けバンドにリングの固定板をコインナットで止めればよい、なお固定板とリングは折りたたみ式である、以上のような構造であるから、使用する時は平らにねかせ、リングに傘をさせば安定して安全に走行することができる、使用しない時は立てておけば対物で破損しないように此れを設けた。
リング取り付けも、女性子供  誰でも１０円玉１枚で取り付け可能である、なおリングは円形である、コインナット使用によってドライバー不要となつた。
以上の如く構成された雨傘安定リングである。
【図面の簡単な説明】
【図１】本考案の正面図
【図２】本考案の側面図
【図３】本考案の平面図
【図４】本考案の斜視図
【図５】本考案の取り付け図
【符号の説明】
１      リング
２      すべり止め、取り付けベルト
３      十字ナット
４      色  彩
５      自転車フレーム
６      固定板


【手続補正２】
【補正対象書類名】図面
【補正対象項目名】全図
【補正方法】変更
【補正の内容】
【図１】
0003101843.tif 000008
【図２】
0003101843.tif 000009
【図３】
0003101843.tif 000010
【図４】
0003101843.tif 000011
【図５】
0003101843.tif 000012
【手続補正書】
【提出日】平成15年12月26日(2003.12.26)
【手続補正１】
【補正対象書類名】明細書
【補正対象項目名】全文
【補正方法】変更
【補正の内容】
【実用新案登録請求の範囲】
【請求項１】自転車の前部フレームに折たたみ式リング（１）を取り付け、傘を差し込み安全走行を可能にした、リングであって、固定板（４）の一端にリング（１）を折りたたみ可能に取り付け、固定板（４）の他端に十字コインボルト（３）を介して、すべり止めベルト（２）を取り付け、滑り止めベルトにより自転車フレームに取り付けることを特徴とする安定リング。
【請求項２】十字コインボルト（３）は十円玉一枚で取り付け可能にしたことを特徴とする請求項１記載の安定リング。
【請求項３】安定リングは色彩豊かにした、請求項１記載の安定リング。
【考案の詳細な説明】
【０００１】
本考案は雨予想と雨傘携帯で自転車に乗る時、傘の置き場が無く自転車サドルの。下に、荷台の下に差しての走行を良く見かけることがある。
時にはハンドルに、危険である、走行中傘が自転車のリームに挟まり事故をした話しも耳にする、又傘の骨が折れたり破けたり、こんな事故から守るため、考案された雨傘安定リングは使用する時は水平に、使用しない時は折りたためば対物に当たらなくて損傷しなくて良い。取り付けも十字コインボルトを使用した事で十円玉一枚で誰でも簡単に取り付け可能した、これによりドライバー不要となった、又色彩豊かに好みの色が選べる、傘の保護と安全走行を可能にした雨傘安定リングである。
尚安定リングは一部主婦のテスト結果絶賛であり、価額も安くつよく要望されているところです。
【図面の簡単な説明】
【図１】正面図
【図２】側面図
【図３】平面図
【図４】斜視図
【図５】側面折畳み図
【図６】実用例図
【符号の説明】
１    リング
２    滑り止めベルト
３    十字コインボルト
４    固定板


【手続補正２】
【補正対象書類名】図面
【補正対象項目名】全図
【補正方法】変更
【補正の内容】
【図１】
0003101843.tif 000013
【図２】
0003101843.tif 000014
【図３】
0003101843.tif 000015
【図４】
0003101843.tif 000016
【図５】
0003101843.tif 000017
【図６】
0003101843.tif 000018